(57)【要約】【課題】他の通信装置から登録を受け付けたスケジュールに関するスケジュール被登録者の状況を容易に通知することが可能な通信装置及びその制御方法を提供すること。【解決手段】通信装置１ｂは、通信装置１ａから、通信回線を介してスケジュール登録を受け付けることが可能である。通信装置１ｂは、通信装置１ａから受信したスケジュールデータＤｓｃにより指定された日時及び通知内容を対応付けてスケジュール登録を行う（ステップＳ２）。また、通信装置１ｂは、現在時刻がスケジュール登録された日時に達すると、通知内容を通知する（ステップＳ３）。そして、通信装置１ｂは、スケジュール通知の開始後に、周囲の音声の録音や画像の録画等の記録を行い、記録したデータを返信データＤｒｅとして、通信装置１ａへ自動的に送信する（ステップＳ４）。【選択図】図１
2007208479.tif 000002
【特許請求の範囲】
【請求項１】
他の通信装置から、通信回線を介してスケジュール登録を受け付けることが可能な通信装置であって、
前記通信回線を介して前記他の通信装置と通信を行う通信部と、
前記他の通信装置から、前記通信部を介して受信したスケジュールデータにより指定された日時及び通知内容を対応付けてスケジュール登録を行うスケジュール登録部と、
現在時刻が前記スケジュール登録部に登録された日時に達したときに、前記通知内容を通知するスケジュール通知部と、
前記スケジュール通知の開始後に、音声を取得する音声取得装置及び画像を取得する画像取得装置の少なくとも一方を有する情報取得部から、当該情報取得部により取得された情報を記録情報として記録する記録部と、
前記記録情報を、前記通信部を介して所定の宛先へ送信する記録情報送信部と
を備える通信装置。
【請求項２】
請求項１に記載の通信装置であって、
前記記録部は、前記スケジュール通知部による通知時に任意の操作入力が検出されたときに、前記記録情報の記録を開始する通信装置。
【請求項３】
請求項１に記載の通信装置であって、
前記スケジュール登録部は、前記スケジュールデータに記録開始日時が指定されている場合には、当該記録開始日時をスケジュール登録し、
前記記録部は、前記スケジュール登録された記録開始日時に前記記録情報の記録を開始する通信装置。
【請求項４】
請求項１に記載の通信装置であって、
前記記録部は、前記スケジュール通知後の所定時間後に前記記録情報の記録を開始する通信装置。
【請求項５】
請求項１ないし４のいずれか一項に記載の通信装置であって、
前記スケジュール通知部は、前記スケジュール登録部に登録された日時の到達後、所定の時間間隔で所定の回数、前記通知内容の通知を行う通信装置。
【請求項６】
請求項５に記載の通信装置であって、
前記記録部は、前記通知が前記所定の回数行われた後に前記記録情報の記録を開始する通信装置。
【請求項７】
請求項１ないし６のいずれか一項に記載の通信装置であって、
前記スケジュール登録部は、前記スケジュール登録が完了すると、登録完了したことを、前記通信部を介して前記他の通信装置へ通知する通信装置。
【請求項８】
請求項１ないし７のいずれか一項に記載の通信装置であって、
前記記録部が記録情報を記録している間、音声及び表示の少なくとも一方を用いて記録中である旨を報知する報知部を更に備える通信装置。
【請求項９】
請求項１ないし８のいずれか一項に記載の通信装置であって、
前記スケジュール登録部は、前記スケジュールデータに指定された前記通知内容に音声データが含まれている場合には、当該音声データをスケジュール登録し、
前記スケジュール通知部は、前記登録された音声データを出力する通信装置。
【請求項１０】
他の通信装置から、通信回線を介してスケジュール登録を受け付けることが可能な通信装置の制御方法であって、
前記他の通信装置から、前記通信回線を介して前記他の通信装置と通信を行う通信部を介して受信したスケジュールデータにより指定された日時及び通知内容を対応付けてスケジュール登録を行うステップと、
現在時刻が前記スケジュール登録部に登録された日時に達したときに、前記通知内容を通知するステップと、
前記スケジュール通知の開始後に、音声を取得する音声取得装置及び画像を取得する画像取得装置の少なくとも一方を有する情報取得部から、当該情報取得部により取得された情報を記録情報として記録部に記録するステップと、
前記記録情報を、前記通信部を介して所定の宛先へ送信するステップと
を有する制御方法。
【請求項１１】
コンピュータに、請求項１０に記載の各ステップを実行させる制御プログラム。
【発明の詳細な説明】
【技術分野】
【０００１】
本発明は、他の通信装置から、通信回線を介してスケジュール登録を受け付けることが可能な通信装置及びその制御方法に関する。
【背景技術】
【０００２】
携帯電話等の通信装置は、その通信機能に加え、種々の機能が搭載されたものがあり、このような機能の一例として、スケジュールを管理するスケジュール機能がある。このようなスケジュール機能には、通信回線を介して、他の通信装置によるスケジュール登録を受け付けることが可能なものがある。
【０００３】
例えば、特許文献１には、相手携帯電話機から文字メール機能を用いて送信されたスケジュールデータを受信し、このスケジュールデータを解析して、その解析結果に基づき、スケジュール機能に対するスケジュールの自動登録を行う無線通信装置が開示されている。
【０００４】
【特許文献１】特開２００１−１８６２７７号公報
【発明の開示】
【発明が解決しようとする課題】
【０００５】
ある通信装置から、通信回線を介して別の通信装置にスケジュール登録するとき、スケジュール登録者と、スケジュール被登録者が異なる場合が考えられる。そのような場合では、スケジュール登録者等が、スケジュール被登録者がスケジュールを遵守しているか等の状況を知りたいとき、被登録者が自発的に電話やメールを発信する必要がある。したがって、スケジュールの被登録者が、通信装置の操作を苦手とする場合、詳細な状況をスケジュール登録者等に伝えるのが困難であるといった事情がある。
【０００６】
本発明は、上記の事情に鑑みてなされたものであって、他の通信装置から登録を受け付けたスケジュールに関するスケジュール被登録者の状況を容易に通知することが可能な通信装置及びその制御方法を提供することを目的とする。
【課題を解決するための手段】
【０００７】
本発明は、第１に、他の通信装置から、通信回線を介してスケジュール登録を受け付けることが可能な通信装置であって、前記通信回線を介して前記他の通信装置と通信を行う通信部と、前記他の通信装置から、前記通信部を介して受信したスケジュールデータにより指定された日時及び通知内容を対応付けてスケジュール登録を行うスケジュール登録部と、現在時刻が前記スケジュール登録部に登録された日時に達したときに、前記通知内容を通知するスケジュール通知部と、前記スケジュール通知の開始後に、音声を取得する音声取得装置及び画像を取得する画像取得装置の少なくとも一方を有する情報取得部から、当該情報取得部により取得された情報を記録情報として記録する記録部と、前記記録情報を、前記通信部を介して所定の宛先へ送信する記録情報送信部とを備える通信装置が提供されるものである。
【０００８】
この構成により、スケジュールが登録された通信装置の周囲の音声及び画像の少なくとも一方を記録して所定の宛先へ送信するので、他の通信装置から登録を受け付けたスケジュールに関するスケジュール被登録者の状況を容易に通知することが可能となる。
【０００９】
本発明は、第２に、上記第１に記載の通信装置であって、前記記録部は、前記スケジュール通知部による通知時に任意の操作入力が検出されたときに、前記記録情報の記録を開始するものである。
【００１０】
この構成により、スケジュール通知を停止するためにキー操作等の操作入力がなされたときに、録音や録画等を開始するので、被登録者が、状況の通知のための特別な操作を行うことなく、記録情報の取得を開始し、通知を行うことができる。
【００１１】
本発明は、第３に、上記第１に記載の通信装置であって、前記スケジュール登録部は、前記スケジュールデータに記録開始日時が指定されている場合には、当該記録開始日時をスケジュール登録し、前記記録部は、前記スケジュール登録された記録開始日時に前記記録情報の記録を開始するものである。
【００１２】
この構成により、スケジュール登録者が録音や録画等の開始日時を指定するので、登録するスケジュールに応じて適切なタイミングで被登録者の状況を通知することができる。
【００１３】
本発明は、第４に、上記第１に記載の通信装置であって、前記記録部は、前記スケジュール通知後の所定時間後に前記記録情報の記録を開始するものである。
【００１４】
この構成により、スケジュール通知後、ある所定時間後に録音や録画等を行うので、被登録者がスケジュールに関して何らかの行動を取った後の状況を記録し、通知することができる。
【００１５】
本発明は、第５に、上記第１ないし第４のいずれかに記載の通信装置であって、前記スケジュール通知部は、前記スケジュール登録部に登録された日時の到達後、所定の時間間隔で所定の回数、前記通知内容の通知を行うものである。
【００１６】
この構成により、スケジュールの通知を複数回にわたって行うので、登録されたスケジュールが被登録者に見過ごされることを防止することができる。
【００１７】
本発明は、第６に、上記第５に記載の通信装置であって、前記記録部は、前記通知が前記所定の回数行われた後に前記記録情報の記録を開始するものである。
【００１８】
この構成により、スケジュールの通知が複数回行われた後に録音や録画等が行われるので、被登録者がスケジュールに関して何らかの行動を取った後の状況を記録し、通知することができる。
【００１９】
本発明は、第７に、上記第１ないし第６のいずれかに記載の通信装置であって、前記スケジュール登録部は、前記スケジュール登録が完了すると、登録完了したことを、前記通信部を介して前記他の通信装置へ通知するものである。
【００２０】
この構成により、スケジュールの登録者は、被登録者の通信装置においてスケジュール登録が完了したか否かを確認することができるので、スケジュール登録が確認できない場合には、スケジュールの再登録や、被登録者へ連絡等の適切な対処を取ることが可能となり、確実にスケジュール登録を実行することができる。
【００２１】
本発明は、第８に、上記第１ないし第７のいずれかに記載の通信装置であって、前記記録部が記録情報を記録している間、音声及び表示の少なくとも一方を用いて記録中である旨を報知する報知部を更に備えるものである。
【００２２】
この構成により、報知部が記録中である旨を報知するので、スケジュールの被登録者は、記録中であることを認識し、適切な状況を詳細に通知することができる。
【００２３】
本発明は、第９に、上記第１ないし第８のいずれかに記載の通信装置であって、前記スケジュール登録部は、前記スケジュールデータに指定された前記通知内容に音声データが含まれている場合には、当該音声データをスケジュール登録し、前記スケジュール通知部は、前記登録された音声データを出力するものである。
【００２４】
この構成により、スケジュールの被登録者には、スケジュール内容が、スケジュール登録者の声などの音声データを用いて通知されるので、被登録者は、通知内容を分かりやすく理解することができる。
【００２５】
本発明は、第１０に、他の通信装置から、通信回線を介してスケジュール登録を受け付けることが可能な通信装置の制御方法であって、前記他の通信装置から、前記通信回線を介して前記他の通信装置と通信を行う通信部を介して受信したスケジュールデータにより指定された日時及び通知内容を対応付けてスケジュール登録を行うステップと、現在時刻が前記スケジュール登録部に登録された日時に達したときに、前記通知内容を通知するステップと、前記スケジュール通知の開始後に、音声を取得する音声取得装置及び画像を取得する画像取得装置の少なくとも一方を有する情報取得部から、当該情報取得部により取得された情報を記録情報として記録部に記録するステップと、前記記録情報を、前記通信部を介して所定の宛先へ送信するステップとを有する制御方法が提供されるものである。
【００２６】
この方法により、スケジュールが登録された通信装置の周囲の音声及び画像の少なくとも一方を記録して所定の宛先へ送信するので、他の通信装置から登録を受け付けたスケジュールに関するスケジュール被登録者の状況を容易に通知することが可能となる。
【００２７】
本発明は、第１１に、コンピュータに、上記第１０に記載の各ステップを実行させる制御プログラムが提供されるものである。
【００２８】
このプログラムにより、スケジュールが登録された通信装置の周囲の音声及び画像の少なくとも一方を記録して所定の宛先へ送信するので、他の通信装置から登録を受け付けたスケジュールに関するスケジュール被登録者の状況を容易に通知することが可能となる。
【発明の効果】
【００２９】
本発明によれば、他の通信装置から登録を受け付けたスケジュールに関するスケジュール被登録者の状況を容易に通知することが可能な通信装置及びその制御方法を提供することができる。
【発明を実施するための最良の形態】
【００３０】
始めに、本発明の実施形態に係る通信装置の動作の概要について説明する。図１は、本発明の実施形態に係る通信装置１ａ，１ｂを用いたスケジュール登録及び返信方法の概要を示すシーケンス図である。本実施形態の通信装置１ａ，１ｂは、例えば、携帯電話、又は通信機能を備えた携帯情報端末（ＰＤＡ：Personal Digital Assistant）若しくはテレビ等、通信回線に接続して他の通信装置と通信可能な装置である。
【００３１】
また、通信装置１ａは、通信装置１ｂに対してスケジュール登録を行うことが可能な通信装置であり、通信装置１ｂは、通信装置１ａ等の他の通信装置から、通信回線を介してスケジュール登録を受け付けることが可能な通信装置である。
【００３２】
図１に示すように、通信装置１ａは、スケジュール登録者となる通信装置１ａの使用者により指定されたスケジュールデータＤｓｃを、電子メールや赤外線通信等で通信装置１ｂへ送信する（ステップＳ１）。スケジュールデータＤｓｃは、例えば通信装置１ｂにおいて通知を行う日時や、通知内容を少なくとも含む。
【００３３】
通信装置１ｂは、通信装置１ａから受信したスケジュールデータＤｓｃに基づいて、スケジュール登録を行う（ステップＳ２）。そして、現在時刻が、スケジュールデータＤｓｃに指定された日時に達すると、ステップＳ２にて登録されたスケジュールに基づいて、スケジュール内容の通知等のスケジュール時刻到来処理を行う（ステップＳ３）。
【００３４】
通信装置１ｂは、ステップＳ３にてスケジュール時刻到来処理を行った後、所定のタイミングにて、スケジュール被登録者となる通信装置１ｂの使用者の状況を記録する。この使用者の状況の記録は、スケジュールデータＤｓｃ又は通信装置１ｂにて予め指定され、音声の録音及び画像の録画の少なくとも一方により行われる。そして、記録が完了すると、記録した情報を返信データＤｒｅとして通信装置１ａへ電子メール等を用いて自動的に送信する（ステップＳ４）。
【００３５】
このような方法により、スケジュールが登録された通信装置１ｂの周囲の音声及び画像の少なくとも一方を記録して、スケジュールを登録した通信装置１ａへ送信するので、通信装置１ｂは、スケジュール被登録者の状況を容易に通知することが可能となる。
【００３６】
次に、本発明の実施形態に係る通信装置の構成について説明する。図２は、本発明の実施形態に係る通信装置１の主要な構成を示すブロック図である。なお、以下の説明において、通信装置１ａ，１ｂについて、特に区別する必要がないときは、これらを単に「通信装置１」と称す。
【００３７】
図２に示すように、通信装置１は、データ送受信部２と、キー操作部３と、表示部４と、マイク５と、スピーカ６と、カメラ７と、スケジュールデータ解析部８と、データ記録部９と、タイマ制御部１０と、制御部１１とを備える。
【００３８】
データ送受信部２は、通信回線を介して他の通信装置と通信を行う通信部の一例として動作するものであり、携帯電話網や、赤外線通信、ＩＥＥＥ（the Institute of Electrical and Electronic Engineers）８０２．１１に準拠した無線ＬＡＮ通信等の通信回線を介して、データの送信や受信を行う。
【００３９】
キー操作部３は、例えばキーボードを有し、通信装置１の使用者からの操作入力を受け付けるものである。なお、通信装置１は、キー操作部３の代わりに、表示装置上に設けられたタッチパネルや、音声認識装置等、使用者からの操作を受け付ける構成を有する操作部を備えてもよい。
【００４０】
表示部４は、液晶表示装置（ＬＣＤ：Liquid Crystal Device）等の表示装置等を有し、通信装置の動作等に関する種々の情報を表示する。マイク５は、音声を取得する音声取得装置の一例として動作し、使用者から発せられる音声等、通信装置１の周囲の音声を取得する。スピーカ６は、アラーム音等の音声を出力する。カメラ７は、画像を取得する画像取得装置の一例として動作し、通信装置１の周囲の画像を取得するものであり、静止画像のほか、動画像を撮像可能な構成を有していてもよい。
【００４１】
スケジュールデータ解析部８は、データ送受信部２を介して受信したデータについて、スケジュールデータであるか否かの判定や、スケジュールデータの内容の解析等を行う。
【００４２】
データ記録部９は、登録されるスケジュールデータや、返信データ用の記録情報、スケジュール登録の受け付けを許可する通信装置の情報等、通信装置１に関する種々の情報を記録するものである。例えば、データ記録部９は、スケジュール通知の開始後に、マイク５及びカメラ７の少なくとも一方を有する情報取得部から、当該情報取得部により取得された情報を記録情報として記録する記録部の一例として動作する。
【００４３】
タイマ制御部１０は、現在時刻がスケジュール登録に登録された日時等に到達したか否かを判定する。
【００４４】
制御部１１は、通信装置１全体の動作を制御するものであり、例えば、所定の制御プログラムにより動作するプロセッサを主体に構成される。そして、制御部１１は、他の通信装置から、データ送受信部２を介して受信したスケジュールデータにより指定された日時及び通知内容を対応付けてスケジュール登録を行うスケジュール登録部、現在時刻がスケジュール登録部に登録された日時に達したときに、通知内容を通知するスケジュール通知部、記録情報をデータ通信部２を介して所定の宛先へ送信する記録情報送信部の一例として機能する。
【００４５】
以下、本発明の実施形態に係る通信装置の動作の詳細について説明する。尚、以下の説明において、スケジュール登録側となる通信装置１ａの使用者が子供、スケジュール被登録側となる通信装置１ｂの使用者がその子供の親であり、薬の服用のスケジュール管理を行う場合について説明する。
【００４６】
図３は、本発明の実施形態に係るスケジュールデータＤｓｃの内容の一例を示す説明図である。スケジュールデータＤｓｃは、通信装置１ａ（図１参照）の制御部１１により、キー操作部３やスピーカ６から、使用者である子供により入力された情報に基づいて作成され、データ送受信部２から通信装置１ｂへ送信される。
【００４７】
図３に示すように、スケジュールデータＤｓｃは、「スケジュール登録者」と、「通知日時」と、「通知内容」と、「通知方法」と、「スヌーズ機能」と、「返信」とを指定する情報を含む。
【００４８】
「スケジュール登録者」の項目には、例えば「ｘｘｘｘｘ＠ｚｚｚｚｚ．ｃｏｍ」といったメールアドレスが指定される。なお、この項目には、メールアドレスに限られず、スケジュール登録を行う通信装置１ａに固有に割り当てられた情報や、スケジュール登録者の名称等、スケジュール登録者を識別する情報が指定されていればよい。「通知日時」の項目には、例えば「２００６／０３／０１  １２：３０」等、スケジュールの通知を行う日時が指定される。
【００４９】
「通知内容」の項目には、スケジュール通知時に被登録者に通知すべき事項が指定される。図３に示す例では、例えば通信装置１ａのマイクで録音したスケジュール登録者（子供）の音声データＡと、音声データＢの二つの音声データが指定されている。音声データＡは、スケジュール登録者である子供の声で『薬の時間だよ』と録音されたデータ、音声データＢは、子供の声で『薬飲んだ？』と録音された音声データとする。なお、この通知内容には、音声データのほか、「カプセル一錠服用して下さい」といった文字データや、画像データ等が指定されてもよい。
【００５０】
「通知方法」の項目には、例えば「音声データＡ再生」といった、上記の「通知日時」にて指定された日時に、スケジュールの通知を行う際の通知方法が指定される。この項目には、他に、スケジュール被登録者の通信装置１ｂのスピーカ６による音声出力パターンや音量、表示部４や不図示の発光部による表示色や表示パターン、及びこれらの通知の継続時間等が指定されていてもよい。
【００５１】
「スヌーズ機能」の項目には、上記の「通知日時」にてスケジュールの通知を行ってから、所定時間の経過後、更に追加のスケジュールの通知を行う機能であるスヌーズ機能の要否が指定される。
【００５２】
「スヌーズ機能」の項目が「要」であるときには、「スヌーズ指定時間」、「スヌーズ回数」、「スヌーズ通知方法」に関する指定を行うことが可能である。「スヌーズ指定時間」の項目には、例えば「５分後」等、直前のスケジュールの通知から、再度スケジュールの通知を行うまでの時間が指定される。なお、「２００６／０３／０１  １２：４０」といった日時が指定されてもよい。「スヌーズ回数」の項目には、スケジュールの通知回数が指定される。「スヌーズ通知方法」には、スヌーズ指定時間にて指定されたときのスケジュール通知方法が指定される。
【００５３】
「スヌーズ機能」の項目が要であると指定されているとき、スケジュール被登録側である通信装置１ｂの制御部１１は、データ記録部９にスケジュール登録された日時の到達後、指定された時間間隔で指定された回数、通知内容の通知を行う制御を行う。したがって、スケジュールの通知が複数回にわたって行われので、登録されたスケジュールが被登録者に見過ごされることを防止することができる。
【００５４】
「返信」の項目には、図１のステップＳ４で説明した、スケジュール登録元となる通信装置１ａへの返信処理の要否が指定される。「返信」の項目が「要」であるときには、「返信記録開始」及び「返信記録時間」に関する指定を行うことが可能である。
【００５５】
「返信記録開始」の項目には、例えば「スヌーズ通知後」等、返信データＤｒｅの記録の開始するタイミングが指定される。このとき、スケジュール被登録側である通信装置１ｂのデータ記録部９は、通知がスヌーズ機能にて指定された回数、スケジュール通知が行われた後に記録情報の記録を開始する。したがって、スケジュールの通知が複数回行われた後に録音や録画等が行われるので、被登録者がスケジュールに関して何らかの行動を取った後の状況を記録し、通知することができる。
【００５６】
なお、「返信記録開始」の項目には、「２００６／０３／０１  １２：４５」といった日時が指定されてもよい。この場合、制御部１１は、記録開始日時を含むスケジュールデータＤｓｃをデータ記録部９にスケジュール登録し、その記録開始日時が到来すると、記録情報の記録を開始する。これにより、スケジュール登録者が録音や録画等の開始日時を指定するので、登録するスケジュールに応じて適切なタイミングで被登録者の状況を通知することができる。
【００５７】
「返信記録時間」は、例えば「１分間」等、返信データＤｒｅの記録時間が指定される。なお、記録時間のほか、返信データＤｒｅのデータ量等が指定されてもよい。
【００５８】
以下、図４〜図６を参照して、通信装置１ｂ、すなわちスケジュール被登録者となる親の通信装置の処理の詳細について説明する。図４は、本発明の実施形態に係るスケジュール登録処理（図１のステップＳ２）の手順を示すフローチャートである。
【００５９】
データ送受信部２にて、通信装置１ａからのデータを受信すると（ステップＳ２０１）、スケジュールデータ解析部８は、制御部１１の指示に基づいて受信したデータの解析を行い、受信したデータがスケジュールデータＤｓｃであるか否かを判定する（ステップＳ２０２）。受信したデータがスケジュールデータＤｓｃでなければ（ステップＳ２０２のＮＯ）、処理を終了する。
【００６０】
受信したデータがスケジュールデータＤｓｃであれば（ステップＳ２０２のＹＥＳ）、スケジュールデータ解析部８は、データ記録部９を参照し、スケジュールデータＤｓｃのスケジュール登録者の情報や、データの送信元の情報等に基づいて、スケジュールデータＤｓｃの送信元の通信装置が、スケジュール登録の受け付けを許可する通信装置であるか否かを判定する（ステップＳ２０３）。スケジュールデータＤｓｃの送信元の通信装置がスケジュール登録の受け付けを許可する通信装置でなければ（ステップＳ２０３のＮＯ）、処理を終了する。
【００６１】
スケジュールデータＤｓｃの送信元の通信装置がスケジュール登録の受け付けを許可する通信装置であれば（ステップＳ２０３のＹＥＳ）、制御部１１は、データ記録部９にスケジュールデータＤｓｃを記録する（ステップＳ２０４）。また、制御部１１は、タイマ制御部１０へ、スケジュールタイマを、例えば２００６年３月１日の１２時３０分に設定する（ステップＳ２０５）。
【００６２】
制御部１１は、データ記録部９へのスケジュールデータＤｓｃの記録、及びタイマ制御部１０へのスケジュールタイマの設定等、スケジュール登録が完了すると、表示部４やスピーカ６を用いて、登録の完了を報知する（ステップＳ２０６）。
【００６３】
また、制御部１１は、データ記録部９へのスケジュールデータＤｓｃの記録、及びタイマ制御部１０へのスケジュールタイマの設定等、スケジュール登録が完了すると、登録完了したことを示す登録完了報告を、データ送受信部２を介して通信装置１ａへ通知する（ステップＳ２０７）。これにより、通信装置１ａは、スケジュール被登録者となる親の通信装置１ｂにおいてスケジュール登録が完了したか否かの確認を報知することができる。したがって、スケジュール登録者である子供は、親の通信装置１ｂにおけるスケジュール登録が確認できない場合には、スケジュールの再登録や、親へ連絡等の適切な対処を取ることが可能となり、確実にスケジュール登録を実行することができる。
【００６４】
図５は、本発明の実施形態に係るスケジュール時刻到来処理（図１のステップＳ３）の手順を示すフローチャートである。
【００６５】
タイマ制御部１０において、現在時刻が前記スケジュール登録部に登録された日時に到達したか否かが判定され、ステップＳ２０５にて設定された日時、例えば２００６年の３月１日の１２時３０分が到来したことが検出されると（ステップＳ３０１）、制御部１１は、データ記録部９からスケジュールデータＤｓｃを読み込む（ステップＳ３０２）。
【００６６】
そして、スケジュールデータ解析部８は、現在時刻に該当するスケジュールデータの通知内容等を解析し、制御部１１は、スケジュールデータ解析部８の解析結果に基づいて、スケジュール通知を行う（ステップＳ３０３）。例えば、スケジュールデータＤｓｃに指定された通知方法が音声データＡの再生であるので、スピーカ６は、音声データＡ、すなわち子供の声で録音された『薬の時間だよ』という音声を出力する。
【００６７】
このようにして、スケジュール登録に、スケジュール登録者の音声を用いることが可能となるので、スケジュールの被登録者が、目が不自由な場合や、小さな文字を見難い場合でも、再生された音声により、スケジュール登録者が誰であり、どのような内容のスケジュールであるかを容易に認識することができる。なお、通信装置１ｂが携帯電話装置等であり、スケジュール通知時に音声通話が行われているとき、制御部１１は、音声通話にて受信している音声に、スケジュール通知用の音声を重畳することにより、スケジュール内容を通知してもよい。
【００６８】
次に、制御部１１は、スケジュールデータ解析部８の解析結果より、スヌーズ機能の項目が「要」であるか否かを判定し（ステップＳ３０４）、スヌーズ機能が「不要」であれば（ステップＳ３０４のＮＯ）、処理を終了する。
【００６９】
スヌーズ機能が「要」であれば（ステップＳ３０４のＹＥＳ）、制御部１１は、キー操作部３から任意の若しくは特定のキー操作が入力されたとき、スケジュールデータＤｓｃに指定された時間が経過したとき、又は通信装置１１ａにおいて予め定められた時間が経過したときにスケジュール通知を停止する。そして、タイマ制御部１０において、スヌーズ指定時間（例えば、ステップＳ３０３のスケジュール通知から５分後）に到達したか否かを判定して、スヌーズ指定時間を検出する（ステップＳ３０５）。
【００７０】
スヌーズ指定時間が検出されると、制御部１１は、スヌーズ通知方法に指定された通知方法にて、スケジュール通知内容を通知する（ステップＳ３０６）。例えば、スケジュールデータＤｓｃに指定されたスヌーズ通知方法が音声データＢの再生であるので、スピーカ６は、音声データＢ、すなわち子供の声で録音された『薬飲んだ？』という音声を出力する。
【００７１】
そして、制御部１１は、スケジュールデータＤｓｃに指定されたスヌーズ回数に基づいて、スケジュール通知を行う残り回数を判定し（ステップＳ３０７）、残り回数がなければ（ステップＳ３０７のＹＥＳ）処理を終了する。一方、残り回数があれば（ステップＳ３０７のＮＯ）、ステップＳ３０５へ戻り、制御部１１は、キー操作部３から任意の若しくは特定のキー操作が入力されたとき、スケジュールデータＤｓｃに指定された時間が経過したとき、又は通信装置１１ａにおいて予め定められた時間が経過したときにスケジュール通知を停止して、スヌーズ指定時間到来の検出を行う。
【００７２】
図６は、本発明の実施形態に係る返信処理の手順（図１のステップＳ４）を示すフローチャートである。
【００７３】
図６に示す返信処理は、図５に示したスケジュール通知（ステップＳ３０３又はＳ３０６）が継続している状態で開始する。その状態で、制御部１１は、キー操作部２から、キー操作部３から任意の若しくは特定（発呼やメール送信等）のキー操作がなされたか否かを判定し（ステップＳ４０１）、キー操作部２からのキー操作入力を検出すると（ステップＳ４０１のＹＥＳ）、スケジュール通知を停止する（ステップＳ４０３）。
【００７４】
一方、制御部１１は、キー操作部２からのキー操作入力を検出しないとき（ステップＳ４０１のＮＯ）、返信処理の開始から所定時間（例えば１分）経過していなければ（ステップＳ４０２のＮＯ）、ステップＳ４０１に戻る。また、制御部１１は、返信処理の開始から所定時間経過したとき（ステップＳ４０２のＹＥＳ）、すなわち、使用者（スケジュール被登録者）による反応がない場合、ステップＳ４０３へ進み、スケジュール通知を停止する。
【００７５】
制御部１１は、スケジュール通知が停止すると、スケジュールデータ解析部８の解析結果に基づいて、スケジュールデータＤｓｃの返信の項目が「要」に指定されているか否かが判定する（ステップＳ４０４）。返信が不要であれば（ステップＳ４０４のＮＯ）、処理を終了する。
【００７６】
スケジュールデータＤｓｃの返信の項目が「要」に指定されていれば（ステップＳ４０４のＹＥＳ）、制御部１１は、マイク５を起動して音声を取得すると共にカメラ７を起動して画像の取得を開始する。そして、データ記録部９に録音や録画を行うことにより、記録情報として記録する（ステップＳ４０５）。例えば、通信装置１ｂにおいて、スヌーズ通知における、子供による『薬飲んだ？』という音声データの再生後、録音や録画が開始するので、親は、通信装置１ｂに『飲みましたよ』といったメッセージを記録することができる。
【００７７】
スケジュールデータＤｓｃに指定された返信記録時間が経過して記録情報の記録が終了すると、制御部１１は、スケジュールデータ解析部８の解析結果に基づいて、スケジュール登録者を判別し（ステップＳ４０６）、データ記録部９から記録された記録情報を読みこむ（ステップＳ４０７）。そして、制御部１１は、スケジュール登録者へ、データ記録部９から読み込んだ記録情報を返信データＤｒｅとして、データ送受信部２を介して通信装置１ａへ送信し（ステップＳ４０８）、処理を終了する。
【００７８】
このようにして、通信装置１ａは、返信データＤｒｅを受信して再生することにより、スケジュール登録者である子供は、親が薬を飲んだこと、すなわちスケジュール被登録者の状況を音声や映像で確認することができる。
【００７９】
上記の手順においては、データ記録部９は、スケジュール通知時に任意の操作入力が検出されたときに、記録情報の記録を開始するものであり、例えば、スケジュール通知を停止するためにキー操作等の操作入力がなされたときに録音や録画等を開始するので、被登録者が、状況の通知のための特別な操作を行うことなく、記録情報の取得を開始し、通知を行うことができる。
【００８０】
また、操作入力がなされない状態が所定時間継続したときには、記録情報の記録を開始するので、スケジュール登録側に返信データが届かないといった事態を回避することができる。なお、キー操作入力が検出されずに所定時間が経過した場合（ステップＳ４０２のＮＯ）、制御部１１は、ステップＳ４０８で送信する返信データＤｒｅに、キー操作入力が検出されなかったことを示す情報を付加してもよい。これにより、スケジュール登録者は、スケジュール被登録者が、スケジュール通知に対して反応がなかったことを認識することができる。
【００８１】
なお、図６で説明した返信処理では、キー操作部３からの操作入力の有無に応じて、記録情報の記録を開始する手順について説明したが、記録情報の記録の開始タイミングはこの手順に限られない。また、通信装置１ｂは、キー操作部３からの操作入力の有無によらず、スケジュール通知の開始から、データ記録部９に予め設定された時間（例えば５秒）の経過後に記録情報の記録を開始してもよい。これにより、スケジュール通知後、ある所定時間後に録音や録画等を行うので、被登録者がスケジュールに関して何らかの行動を取った後の状況を記録し、通知することができる。
【００８２】
また、スケジュールデータＤｓｃが位置を指定する項目を含み、通信装置が指定された位置にあるときに記録情報の記録を開始してもよい。例えば、通信装置がＧＰＳ（Global Positioning System）等を用いて現在位置を検出する位置検出部（不図示）を有し、スケジュールデータＤｓｃに指定された位置にいるとき（例えば自宅から半径５００ｍより離れたら）、記録情報を開始する。このようにして、例えばスケジュール登録の内容が「病院へ行く」等の場合、スケジュール登録者である子供は、スケジュールデータＤｓｃに、自宅から所定距離以上の範囲や、病院から所定距離以内の範囲を指定することで、親が自宅を出発したことや、病院に到着したことを確認することができる。
【００８３】
なお、上記の説明では、通信装置１ｂに、スケジュール被登録者の状況を記録した記録情報を返信データとしてスケジュール登録元の通信装置１ａへ自動的に送信する手順について説明したが、記録情報の送信先は、スケジュール登録元の通信装置に限られない。例えば、スケジュールデータＤｓｃに、記録情報の送信する宛先を指定する項目を含み、スケジュール登録を受けた通信装置は、記録情報を、スケジュールデータＤｓｃに指定された宛先へ送信してもよい。
【００８４】
また、上記の説明において、通知方法や、スヌーズ機能の要否、返信要否は、通信装置１ａから、通信装置１ｂへ送信されるスケジュールデータＤｓｃにより指定される場合について説明したが、スケジュール登録を受け付ける通信装置１ｂにて、受け付けたスケジュールに応じて自動的に設定してもよい。
【００８５】
例えば、通信装置１ｂにおいて、データ記録部９は、スケジュール登録者の識別情報やスケジュール通知内容に含まれる文字情報等と、通知方法や返信要否等とが対応付けられたテーブルを予め記録しておく。そして、通信装置１ｂがスケジュールデータＤｓｃを受信すると、スケジュールデータ解析部８により、スケジュール登録者や、スケジュールデータＤｓｃに含まれる特定の文字列等が含まれているかを解析し、その解析結果からデータ記録部９に記録されているテーブルを参照して、通知方法や返信要否等を通信装置１ｂにて決定してもよい。
【００８６】
また、上記の実施形態では、通信装置１ａは、１台の通信装置１ｂへスケジュールを登録する場合について説明したが、複数台の通信装置へスケジュール登録を行ってもよい。この場合、例えば、複数の通信装置に対して日時を指定して音声等を用いて連絡を行うことができ、また、スケジュール被登録者の状況や連絡事項に対する反応について集計を行うことができるので、朝会や会議等の目的に利用することができる。
【００８７】
このような本発明の実施形態に係る通信装置及びその制御方法によれば、スケジュールが登録された通信装置の周囲の音声及び画像の少なくとも一方を記録したデータをスケジュール登録者等の所定の宛先へ送信するので、他の通信装置から登録を受け付けたスケジュールに関するスケジュール被登録者の状況を容易に通知することが可能となる。
【産業上の利用可能性】
【００８８】
本発明の通信装置及びその制御方法は、他の通信装置から登録を受け付けたスケジュールに関するスケジュール被登録者の状況を容易に通知することが可能な効果を有し、携帯電話装置等に有用である。
【図面の簡単な説明】
【００８９】
【図１】本発明の実施形態に係る通信装置を用いたスケジュール登録及び返信方法の概要を示すシーケンス図
【図２】本発明の実施形態に係る通信装置の主要な構成を示すブロック図
【図３】本発明の実施形態に係るスケジュールデータの内容の一例を示す説明図
【図４】本発明の実施形態に係るスケジュール登録処理の手順を示すフローチャート
【図５】本発明の実施形態に係るスケジュール時刻到来処理の手順を示すフローチャート
【図６】本発明の実施形態に係る返信処理の手順を示すフローチャート
【符号の説明】
【００９０】
１，１ａ，１ｂ  通信装置
２  データ送受信部
３  キー操作部
４  表示部
５  マイク
６  スピーカ
７  カメラ
８  スケジュールデータ解析部
９  データ記録部
１０  タイマ制御部
１１  制御部
Ｄｓｃ  スケジュールデータ
Ｄｒｅ  返信データ
【図１】
2007208479.tif 000003
【図２】
2007208479.tif 000004
【図３】
2007208479.tif 000005
【図４】
2007208479.tif 000006
【図５】
2007208479.tif 000007
【図６】
2007208479.tif 000008